(57)【特許請求の範囲】
【請求項１】
個人認証のための識別情報の読み取りをおこなう情報読み取り部と、読み取った識別情報を予め記憶された個人認証データと照合して電気錠への操作出力をおこなう電気錠制御部とを備えた操作器本体に、同操作器本体への分解などの破壊行為を検出する破壊検出部を有してなる電気錠操作器において、
前記電気錠制御部と電気錠との間に、電気錠の駆動電源の電源側配線となる第１の接続回路および第２の接続回路を設けるとともに、前記破壊検出部による検出出力にて第２の接続回路によって電気錠への通電を継続させるように、電気錠制御部と電気錠との接続を第１の接続回路から第２の接続回路へ切り換える回路切り換え部を設けたことを特徴とする電気錠操作器。
【請求項２】
前記回路切り換え部を、前記操作器本体の外部に配設した請求項１記載の電気錠操作器。
【発明の詳細な説明】
【０００１】
【発明の属する技術分野】
本発明は電気錠操作器に関し、特に、個人認証をおこない予め記憶された個人認証データと照合して電気錠への操作出力をおこなう電気錠操作器に関するものである。
【０００２】
【従来の技術】
従来から、個人認証のための、例えばカードに記録された識別情報を読み取って、予め記憶手段に記憶されている個人認証データとそれを照合し、電気錠への操作出力をおこなう電気錠操作器がある。このような、電気錠操作器としては、指紋照合やカードリーダなどが提案されている。そして、多くの場合、監視人の常駐していない、機密保持を必要とする区域への入り口に設置されて、その入り口に設けられている扉の、電気錠の施開錠の操作を自動的におこなっている。
【０００３】
上記のカードリーダーは、一般に、電気錠操作器１００となるカードリーダーが破損されたりしたときに警報を発するようになっており、図４に示す如く、その操作器本体１０１には、個人認証のための識別情報の読み取りをおこなうデータ読み取り部１０２と、電気錠制御部１０３を形成するＣＰＵ１０４と、操作器本体１０１の破壊検出部である機器取り外し検知部１０５とを備えている。
【０００４】
データ読み取り部１０２は、個人認証のための識別情報の読み取りをおこない、その読み取ったデータを電気錠制御部１０３のＣＰＵ１０４に出力する。電気錠制御部１０３には、このＣＰＵ１０４以外に、ソフトウエア及び予め個人認証データを記憶させる記憶手段のＲＯＭ１０５、及びＲＡＭ１０６を有している。そして、カードから読み取った個人の識別データをＲＯＭ１０５内の個人認証データと照合したのち電気錠制御回路１０７へ出力する。電気錠制御回路１０７は、ＣＰＵ１０４から入力の有ったときに電気錠１０９へ操作出力をおこなうようになっている。
【０００５】
破壊検出部に相当する機器取り外し検知部１０５は、例えばマイクロスイッチなどにて形成されており、操作器本体１０１を覆っているケースの分解などの、外部からの破壊や損傷行為などを検出する。この機器取り外し検知部１０５からは、内部に設けられた警報用のブザー１０８の鳴動出力や、監視人の常駐している監視室に設置された防犯受信機などに接点信号をに出力するようになっている。したがって、監視人や通行人などの付近の人間に対して、音などによって電気錠操作器１００への破壊行為を報知でき、電気錠操作器１００を破壊して機密保持を必要とする区域への侵入されるような異常発生を未然に防止することができる。
【０００６】
【発明が解決しようとする課題】
ところで、電気錠１０９は、停電時においてそれの設けられている入り口を通行可能とするために、一般に、錠部分を操作するソレノイドなどの駆動手段には常時通電をして施錠するようになっている。したがって、操作器本体１０１を覆っているケースを破壊させて一時的に電気錠制御部１０３と電気錠１０９との間の接続回路を開放させ、意図的に短い時間、電気錠１０９が開錠されることが懸念される。しかしながら、上記従来の技術においては、このような破壊行為に際しては、機器取り外し検知部１０５が作動するも、短時間に正常な状態に復帰された場合には、カードリーダーの周辺、あるいは監視室に人のいないときには、機密区域内へ容易に侵入されることが懸念された。
【０００７】
本発明は、上記事由に鑑みてなしたもので、その目的とするところは、操作器本体の破壊があっても操作器本体の破壊検出をおこなって電気錠を施錠し続けることの可能な電気錠操作器を提供することにある。
【０００８】
【課題を解決するための手段】
上記目的を達成するために、本発明の電気錠操作器にあっては、個人認証のための識別情報の読み取りをおこなう情報読み取り部と、読み取った識別情報を予め記憶された個人認証データと照合して電気錠への操作出力をおこなう電気錠制御部とを備えた操作器本体に、同操作器本体への分解などの破壊行為を検出する破壊検出部を有してなる電気錠操作器において、
前記電気錠制御部と電気錠との間に、電気錠の駆動電源の電源側配線となる第１の接続回路および第２の接続回路を設けるとともに、前記破壊検出部による検出出力にて第２の接続回路によって電気錠への通電を継続させるように、電気錠制御部と電気錠との接続を第１の接続回路から第２の接続回路へ切り換える回路切り換え部を設けたことを特徴としている。
【０００９】
この構成にて、操作器本体への分解などの破壊行為が破壊検出部にて検出され、該破壊検出部から回路切り換え部に、前記電気錠制御部と電気錠との間の接続を、その間に付設された第２の接続回路へ切り換えるよう操作出力がなされる。
【００１０】
そして、上記回路切り換え部を、前記操作器本体の外部に配設することが好ましい。この場合、操作器本体の外部に配設された回路切り換え部にて、電気錠制御部と電気錠との間に付設される第２の接続回路への切り換えがなされる。
【００１１】
【発明の実施の形態】
図１乃至図３は、本発明の請求項１、２に対応する一実施の形態を示し、図１は、本発明の一実施の形態の電気錠操作器の概略構成を示すブロック図、図２は、同電気錠操作器の回路切り換え部を示す説明図、図３は、同実施の形態の電気錠操作器の、別の実施例の概略構成を示すブロック図である。
【００１２】
この実施の形態の電気錠操作器１は、個人認証のための識別情報の読み取りをおこなう情報読み取り部と、読み取った識別情報を予め記憶された個人認証データと照合して電気錠９への操作出力をおこなう電気錠制御部４とを備えた操作器本体２に、同操作器本体２への分解などの破壊行為を検出する破壊検出部を有してなる電気錠操作器１において、前記電気錠制御部４と電気錠９との間に設けられる接続回路８１に第２の接続回路８２を付設させるとともに、前記破壊検出部による検出出力にて同第２の接続回路８２へ接続を切り換える回路切り換え部７を設けてなる。
【００１３】
また、該実施の形態の電気錠操作器１は、前記回路切り換え部７を、前記操作器本体２の外部に配設してもいる。
【００１４】
詳しくは、この電気錠操作器１は、例えば、機密を必要とする研究開発を行っている建物などの区域内への入り口に設置されて、例えば磁気カード（図示せず）などに記録された個人認証のための識別情報を読み取って、その入り口の扉に設けられている電気錠の施開錠をおこなうカードリーダーである。そして、操作器本体２が、内部にギアードモータ、あるいはソレノイド等の施錠機構を電気的に駆動する駆動手段を備えた電気錠９とは、電気錠９に並設される回路切り替え部７を経由して接続されて使用される。
【００１５】
操作器本体２は、情報読み取り部となる、磁気読み出し装置にて形成されたデータ読み取り部３と、データ読み取り部３がその入力となって電気錠９を制御する、ＲＯＭ４２、ＲＡＭ４３及び、電気錠９の制御をおこなう電気錠制御回路４４の接続されているＣＰＵ４１を有する電気錠制御部４と、破壊検出部となる機器取り外し検知部５と、警報用のブザー６とを備えて構成されている。電気錠制御部４と、この電気錠制御部４、電気錠９間に設けられる回路切り替え部７との間には、接続回路８１及びこの接続回路８１に付設される第２の接続回路８２を設けている。
【００１６】
操作器本体２は、ねじ止め固定されて操作器本体２を構成しているケースカバー（図示せず）を取り外すことにて、操作器本体２への電源供給をおこなう外部電線、及び、後述する電気錠９との接続回路８１、接続回路８１に付設される第２の接続回路８２を形成する接続電線が接続可能となっている。この操作器本体２には、この場合、上記ケースカバーの取り外しと連動して閉路する、マイクロスイッチなどにて形成される機器取り外し検知部５がその内部に設けられる。
【００１７】
電気錠制御部４は、個人認証のための個人識別情報データテーブル及び、個人識別情報と照合し電気錠９を制御する処理プログラムの記憶されている記憶手段のＲＯＭ（リードオンリーメモリー）４２と、ＲＡＭ（ランダムアクセスメモリー）４３と、電気錠操作出力をおこなう電気錠制御回路４４とがＣＰＵ４１に接続されて構成されている。この電気錠制御部４は、データ読み取り部３から入力される、カードに記憶さ所定のデータ構成をもった磁気情報に基づく識別情報信号を、予め記憶手段のＲＯＭ４２に登録されているデータテーブルの個人識別情報と照合して、そのデータテーブルに入力された情報と適合するものがあったときに電気錠制御回路４４に向けて開錠信号を出力する。電気錠制御回路４４は、この電気錠制御回路４４から電気錠９に設けられているソレノイド９１を操作して電気錠９の施錠制御をおこなうようになっている。また、この場合、ＣＰＵ４１は、後述する機器取り外し検知部５のマイクロスイッチから接点信号入力のあったときに、ブザー６から警報を発するようになっている。
【００１８】
機器取り外し検知部５は、例えば２極の接点回路をもったマイクロスイッチにて形成することができる。この場合、その２極の接点回路のうち、一方のものの出力がＣＰＵ４１の入力、他方のものの出力が後述する回路切り替え部７の入力となっている。この機器取り外し検知部５は、マイクロスイッチの接点駆動部となるヒンジが、常時ケースカバーに押圧されるよう操作器本体２の内部に取り付けられている。すなわち、電気錠操作器１の通常使用状態においては上記の各接点回路が開路しており、ケースカバーの取り外しと連動してそれらが閉路するようになっており、ケースカバーの取り外しによる破壊行為を比較的簡単な構成で容易に検出することができる。
【００１９】
回路切り替え部７、前述のケースカバーの取り外しのような操作器本体２外部からの破壊行為によって、電気錠制御回路４４から電気錠９への通電不能となって開錠するのを防止するもので、例えば図２に示すように、この回路切り替え部７の内部回路で電気錠９の制御をおこなうためのリレーＲＹ１を有して形成される。この回路切り替え部７は、前記操作器本体２の外部に設けられ、回路切り替え部７と操作器本体２とは、電気錠９のＤＣ駆動電源となる接続回路８１、接続回路８１に付設される同ＤＣ駆動電源の電源側配線となる第２の接続回路８２にて接続され、また、回路切り替え部７と電気錠９とは接続回路８１のみにて接続されて設置される。なお、この回路切り替え部７は、電気錠９の近くに設置されるが、接続回路８１と第２の接続回路８２とは両方が同時に切断されることの無いように、接続回路の破壊に対しては、異なる配線設置経路を経て回路切り替え部７と接続されるのが好ましい。
【００２０】
上記の電気錠操作器１においては、通常の使用状態においては、操作器本体２の電気錠制御回路４４により電気錠９のソレノイド９１に接続回路８１側の配線経路を介してＤＣ駆動電源を印加させて施錠制御するようになっている。そして、操作器本体２のケースカバーの取り外し、あるいは分解等の破壊行為の有った場合には、まず、この破壊行為が機器取り外し検知部５にて検出される。そして、該機器取り外し検知部５からは、内部に設けられた警報用のブザー１０８を鳴動させるとともに、回路切り換え部７に向けて信号出力をおこなう。すると、この回路切り換え部７が、前記電気錠制御部４と電気錠９との間の接続回路８１による接続を、その間に付設された第２の接続回路８２へ切り換えるよう操作出力をおこなう。すなわち、外部からの電気錠操作器１に対する破壊行為の有ったときに電気錠９が解錠する時間を遅らせることとなって容易に電気錠９を解錠して侵入する行為を防ぎ、セキュリティの向上を実現することができるのである。
【００２１】
また、この場合、操作器本体２の外部に配設された回路切り換え部７にて、電気錠制御部４と電気錠９との間に付設される第２の接続回路８２への切り換えがなされ、この回路切り換え部７にて電気錠９の制御をおこなう。すなわち、操作器本体２から接続回路８１の配線接続が外されても電気錠９の制御を回路切り換え部７内で行うこととなり、電気錠９への通電が継続されてその制御への影響も無い。
【００２２】
したがって、以上説明した電気錠操作器１によると、操作器本体２への分解などの破壊行為が機器取り外し検知部５にて検出され、機器取り外し検知部５から回路切り換え部７に、前記電気錠制御部４と電気錠９との間の接続を、その間に付設された第２の接続回路８２へ切り換えるよう操作出力がなされるので、操作器本体２の破壊があっても操作器本体２の破壊検出をおこなって電気錠９を施錠し続けることができる。
【００２３】
そして、操作器本体２の外部に配設された回路切り換え部７にて、電気錠制御部４と電気錠９との間に付設される第２の接続回路８２への切り換えがなされるので、第２の接続回路８２を破壊行為者に確認されにくくでき、以て、破壊行為者による電気錠９の解錠をより遅らせることができる。
【００２４】
なお、本発明は、上記に示されたもの以外に、例えば、図３に示すように、操作器本体２内部に回路切り換え部７を配設し、電気錠制御部４と電気錠９との間に付設される第２の接続回路８２を電気錠９の近くにて接続回路８１に接続したもの、あるいは、第２の接続回路８２を１以上の多数の配線経路設けて配置したもの等、各種実施形態のものを含む。
【００２５】
【発明の効果】
本発明は、上述の実施態様の如く実施されて、請求項１記載の電気錠操作器にあっては、操作器本体への分解などの破壊行為が破壊検出部にて検出され、該破壊検出部から回路切り換え部に、前記電気錠制御部と電気錠との間の接続を、その間に付設された第２の接続回路へ切り換えるよう操作出力がなされるので、操作器本体の破壊があっても操作器本体の破壊検出をおこなって電気錠を施錠し続けることができる。
【００２６】
また、請求項２記載の電気錠操作器にあっては、操作器本体の外部に配設された回路切り換え部にて、電気錠制御部と電気錠との間に付設される第２の接続回路への切り換えがなされるので、第２の接続回路を破壊行為者に確認されにくくでき、以て、破壊行為者による電気錠の解錠をより遅らせることができる。
【図面の簡単な説明】
【図１】本発明の一実施の形態の電気錠操作器の概略構成を示すブロック図である。
【図２】同電気錠操作器の回路切り換え部を示す説明図である。
【図３】同実施の形態の電気錠操作器の、別の実施例の概略構成を示すブロック図である。
【図４】本発明の従来例である電気錠操作器の概略構成を示すブロック図である。
【符号の説明】
１    電気錠操作器
２    操作器本体
３    データ読み取り部（情報読み取り部）
４    電気錠制御部
５    機器取り外し検知部（破壊検出部）
７    回路切り換え部
８１  接続回路
８２  第２の接続回路
９    電気錠
【図１】
0004239395.tif 000002
【図２】
0004239395.tif 000003
【図３】
0004239395.tif 000004
【図４】
0004239395.tif 000005